(57)【要約】【課題】ガス漏れや不完全燃焼以外の検知もできる付加機能を有する警報器を取り付ける場合も付加機能の外部出力信号ケーブルとの接続の施工が安全にでき、また美観上も問題のないように施工できる警報器の取り付けベースを提供する。【解決手段】警報器Ｂの上面の固定部兼電源端子１を引っ掛け係止して接続し得る固定部兼電源受け部３と、警報器Ｂの上面のガス漏れ信号用の出力端子ピン６を接続し得るガス漏れ用の端子ピン接続部７とを、天井に取り付けるベース本体２に設ける。上記ガス漏れ信号用の出力端子ピン６とは別に警報器Ｂからの信号を伝達するために信号プラグ１４を着脱自在に接続し得る信号コネクター１５をベース本体２の側面に設ける。【選択図】　　　　図１
2004021653.tif 000002
【特許請求の範囲】
【請求項１】
警報器の上面の固定部兼電源端子を引っ掛け係止して接続し得る固定部兼電源受け部と、警報器の上面のガス漏れ信号用の出力端子ピンを接続し得るガス漏れ用の端子ピン接続部とを、天井に取り付けるベース本体に設け、上記ガス漏れ信号用の出力端子ピンとは別に警報器からの信号を伝達するために信号プラグを着脱自在に接続し得る信号コネクターをベース本体の側面に設けたことを特徴とする警報器の取り付けベース。
【請求項２】
ベース本体の側面に信号コネクターを一体に埋設して取り付け、警報器から導出した信号線の端部の信号プラグを信号コネクターに着脱自在に接続し得るようにしたことを特徴とする請求項１記載の警報器の取り付けベース。
【請求項３】
ベース本体の側面に切り欠きを設け、信号コネクターを切り欠きに挿入すると共に信号コネクターの係止溝を切り欠き縁に係止し、警報器から導出した信号線の端部の信号プラグを信号コネクターに着脱自在に接続し得るようにしたことを特徴とする請求項１記載の警報器の取り付けベース。
【請求項４】
信号コネクターに接続した信号プラグと繋がった接続ベースに端子ピン接続部を設け、警報器のガス漏れ信号用の出力端子ピンとは別の信号を出力する出力端子ピンを上記接続ベースの端子ピン接続部に接続し得るようにしたことを特徴とする請求項１記載の警報器の取り付けベース。
【請求項５】
警報器の上面の固定部兼電源端子を引っ掛け係止して接続し得る固定部兼電源受け部と、警報器の上面のガス漏れ信号用の出力端子ピンを接続し得るガス漏れ用の端子ピン接続部とを、天井に取り付けるベース本体に設け、接続ベース部を一体に設けた信号コネクターをベース本体の側面に取り付け、この接続ベース部に端子ピン接続部を設け、警報器のガス漏れ信号用の出力端子ピンとは別の信号を出力する出力端子ピンを上記接続ベース部の端子ピン接続部に接続し得るようにしたことを特徴とする警報器の取り付けベース。
【発明の詳細な説明】
【０００１】
【発明の属する技術分野】
本発明は、ガス漏れ等の警報を発する警報器を天井に取り付けるための取り付けベースの構造に関するものである。
【０００２】
【従来の技術及び発明が解決しようとする課題】
従来、ガス漏れの警報を発する警報器Ｂを天井に取り付ける場合、図１１、図１２に示すように天井に取り付けベースＡを取り付け、この取り付けベースＡに警報器Ｂを取り付けていた。警報器Ｂの上面には一対の固定部兼電源端子１を突設してある。取り付けベースＡはボディ２ａとカバー２ｂからなるベース本体２に一対の固定部兼電源受け部３を内装してあり、固定部兼電源受け部３に対応するようにカバー２ｂに上下に貫通する端子挿入孔４を穿孔してある。天井裏にはＡＣ１００Ｖの電源を供給する電源ケーブル５を配線しているが、電源ケーブル５を取り付けベースＡの固定部兼電源受け部３に接続し、取り付けベースＡを天井にビスにて取り付けてある。警報器Ｂは取り付けベースＡの下に配置し、固定部兼電源端子１を端子挿入孔４に挿入し、警報器Ｂを回転することで固定部兼電源端子１を固定部兼電源受け部３に引っ掛け係止して警報器Ｂを固定すると共に電気的に接続していた。
【０００３】
この警報器Ｂは電源ケーブル５から固定部兼電源受け部３、固定部兼電源端子１を介して電力を受けて動作し、所定の濃度の都市ガスや一酸化炭素ガスを検知すると、警報器Ｂに設けたＬＥＤの点灯、点滅、スピーカーからの音声によりガスを検出したことを報知するようになっている。
【０００４】
このような警報器Ｂにはその検知信号（警報信号）を信号として外部に出力するものがあり、次のような構造を採用している。警報器Ｂの上面には固定部兼電源端子１以外に一対のガス漏れ信号用の出力端子ピン６を突設してある。取り付けベースＡのベース本体２内にはガス漏れ信号用の端子ピン接続部７を内装してあり、端子ピン接続部７に対応するようにカバー２ｂに上下に貫通する端子挿入孔８を穿孔してある。電源ケーブル５以外に外部信号用のガス漏れ信号ケーブル９を配線してあり、このガス漏れ信号ケーブル９を端子ピン接続部７に接続してある。そして警報器Ｂを取り付けた状態で出力端子ピン６が端子挿入孔８を介して端子ピン接続部７に接続してある。このようになっていると、警報器Ｂから信号が出力端子ピン６、端子ピン接続部７を介してガス漏れ信号ケーブル９にて信号が集中制御装置等に送られるようになっている。この際、例えば所定濃度以上の都市ガスを検知したとき１２Ｖの信号が送られ、所定濃度以上の一酸化炭素ガスを検知したとき１８Ｖの信号が送られるようになっている。
【０００５】
上記のようにガス漏れと不完全燃焼を検知するだけのために警報器Ｂを取り付ける場合は、外部に露出する配線等がなく、美観も考慮されており、何ら問題がなかった。
【０００６】
ところで、近年、この種ガス漏れの警報器Ｂでガス漏れ警報以外にも前記の一酸化炭素ガスを検知する不完全燃焼警報に加え、熱や煙を検知して火災警報を発する機能を有しているものが開発されている。また、今後様々な付加機能を持つ可能性がある。
【０００７】
この付加機能についても、前記のガス漏れや不完全燃焼の場合と同様に、外部信号を出し、別の場所に通報するなどの要望もある。このような要望がある場合、この付加機能の外部出力信号ケーブルは取り付けベースＡとは別途に配線するが、取り付けベースＡの側面を切り欠く等で、取り付けベースＡの天井面側から取り出すように配線がされている。
【０００８】
図１３、図１４、図１５は付加機能の外部出力信号ケーブルの一例として火災信号ケーブル１０を配線する場合の例である。取り付けベースＡのボディ２ａの側面をノックアウトして切り欠き１１を形成し、天井裏に配線した火災信号ケーブル１０の端部は取り付けベースＡの裏から切り欠き１１を介して取り付けベースＡの外に導出し、警報器Ｂの上面から導出した火災信号リード線１２の端部と火災信号ケーブル１０の端部とを圧着端子１３にて接続している。
【０００９】
この場合、警報器Ｂの設置の際に、取り付けベースＡ側の火災信号ケーブル１０の端部に圧着端子１３を取り付ける必要があるが、その作業は、天井付近で行うこととなり、圧着端子１３の取り付けには、圧着端子１３を片手で持ち、工具をもう一方の手で持つことになるから、両手を使う必要があり、高所の作業でありながら、手で体を支えるといったことができず、作業に危険が伴うという問題がある。また警報器Ｂの取り替えの際も同様で両手で圧着端子１３を外し、両手で接続するという作業が発生し、設置の場合と同様に作業に危険を伴うという問題がある。また圧着端子１３の代わりに、信号線の端に着脱可能なコネクターを設けることもできるが、この場合もコネクター同士の接続に両手が必要になり、作業に危険が伴うという問題がある。また圧着端子１３による接続部が露出して美観上も問題がある。また警報器Ｂを設置している場合は、まだましであるが、警報器Ｂを設置する前や、使用者の都合で、取り外した状態にする場合などは、取り付けベースＡ側の火災信号ケーブル１０が垂れ下がった状態となり、美観上好ましくなという問題がある。
【００１０】
本発明は上記の点に鑑みてなされたものであり、ガス漏れや不完全燃焼以外の検知もできる付加機能を有する警報器を取り付ける場合も付加機能の外部出力信号ケーブルとの接続の施工が安全にでき、また美観上も問題のないように施工できる警報器の取り付けベースを提供することを課題とするものである。
【００１１】
【課題を解決するための手段】
上記課題を解決するための本発明の請求項１の警報器の取り付けベースＡは、警報器Ｂの上面の固定部兼電源端子１を引っ掛け係止して接続し得る固定部兼電源受け部３と、警報器Ｂの上面のガス漏れ信号用の出力端子ピン６を接続し得るガス漏れ用の端子ピン接続部７とを、天井に取り付けるベース本体２に設け、上記ガス漏れ信号用の出力端子ピン６とは別に警報器Ｂからの信号を伝達するために信号プラグ１４を着脱自在に接続し得る信号コネクター１５をベース本体２の側面に設けたことを特徴とする。天井裏に配線した付加機能の外部出力ケーブルを信号コネクター１５に接続して取り付けベースＡを天井に取り付けておけば、警報器Ｂを取り付けたとき警報器Ｂ側と接続した信号線の端部の信号プラグ１４を取り付けベースＡの側面に設けた信号コネクター１５に差し込み接続することで接続でき、接続作業が片手できて安全に施工でき、また美観が悪くならないように施工できる。
【００１２】
また本発明の請求項２の警報器の取り付けベースＡは、請求項１において、ベース本体２の側面に信号コネクター１５を一体に埋設して取り付け、警報器Ｂから導出した信号線の端部の信号プラグ１４を信号コネクター１５に着脱自在に接続し得るようにしたことを特徴とする。ベース本体２の予め信号コネクター１５を設けた取り付けベースＡを用いて容易に施工できる。
【００１３】
また本発明の請求項３の警報器の取り付けベースＡは、請求項１において、ベース本体２の側面に切り欠き１６を設け、信号コネクター１５を切り欠き１６に挿入すると共に信号コネクター１５の係止溝１７を切り欠き縁１６ａに係止し、警報器Ｂから導出した信号線の端部の信号プラグ１４を信号コネクター１５に着脱自在に接続し得るようにしたことを特徴とする。付加機能のない従来の取り付けベースＡであっても側面にノックアウト等で切り欠き１６を形成するだけ信号コネクター１５を取り付けることができ、特別な取り付けベースＡを用意しなくても付加機能の接続作業が安全に行える。
【００１４】
また本発明の請求項４の警報器の取り付けベースＡは、請求項１において、信号コネクター１５に接続した信号プラグ１４と繋がった接続ベース１８に端子ピン接続部１９を設け、警報器Ｂのガス漏れ信号用の出力端子ピン６とは別の信号を出力する出力端子ピン２０を上記接続ベース１８の端子ピン接続部１９に接続し得るようにしたことを特徴とする。天井裏に配線した付加機能の外部出力ケーブルを信号コネクター１５に接続して取り付けベースＡを天井に取り付けておけば、信号コネクター１５に信号プラグ１４を片手で差し込んで接続ベース１８を接続でき、警報器Ｂを取り付けるとき警報器Ｂの出力端子ピン２０を接続ベース１８の端子ピン接続部に差し込んだりして接続でき、接続作業が容易且つ安全にできる。
【００１５】
また本発明の請求項５の警報器の取り付けベースＡは、警報器Ｂの上面の固定部兼電源端子１を引っ掛け係止して接続し得る固定部兼電源受け部３と、警報器Ｂの上面のガス漏れ信号用の出力端子ピン６を接続し得るガス漏れ用の端子ピン接続部７とを、天井に取り付けるベース本体２に設け、接続ベース部２１を一体に設けた信号コネクター１５をベース本体２の側面に取り付け、この接続ベース部２１に端子ピン接続部１９を設け、警報器Ｂのガス漏れ信号用の出力端子ピン６とは別の信号を出力する出力端子ピン２０を上記接続ベース部２１の端子ピン接続部１９に接続し得るようにしたことを特徴とする。接続ベース部２１を一体に設けた信号コネクター１５をベース本体２に取り付けると共に天井裏に配線した付加機能の外部出力ケーブルを信号コネクター１５に接続した取り付けベースＡを天井に取り付けておけば、警報器Ｂを取り付けベースに取り付けるとき警報器Ｂの出力端子ピン２０を接続ベース部２１の端子ピン接続部１９に差し込んだりして接続でき、接続作業が容易且つ安全にできる。また外部に配線が露出しないために美観よく施工できる。
【００１６】
【発明の実施の形態】
先ず本発明の第１の実施の形態について図１乃至図３により説明する。警報器Ｂはガスセンサーを内装してあり、一定濃度以上の都市ガスを検知したときガス漏れ警報を出したり、一定濃度以上の一酸化炭素ガスを検知したとき不完全燃焼警報を出したりするようになっている。さらにこの警報器にはガス漏れや不完全燃焼の検知以外に他のものを検知できる付加機能を設けてある。本例の場合、付加機能として煙や熱を検知する火災センサーを内装してあり、所定以上の煙や熱を検知したとき火災警報を出すようになっている。この付加機能としては火災センサーを内装して火災を検知するもの以外に、人体検知センサーにて人体を検知するものや臭いセンサーにて臭いを検知するものやその他のものがある。また警報器Ｂには点灯や点滅で警報を報知するＬＥＤやスピーカー等を設けてある。
【００１７】
警報器Ｂの上面には一対の固定部兼電源端子１やガス漏れ信号の出力端子ピン６を突設してある。警報器Ｂの上面の側部から付加機能の信号線として火災信号リード線１２とガス漏れ信号兼用火災信号リード線２２とを導出してあり、火災信号リード線１２やガス漏れ信号兼用火災信号リード線２２の先端には信号プラグ１４を装着してある。本例の信号プラグ１４は単極のプラグである。
【００１８】
取り付けベースＡの合成樹脂製のベース本体２はボディ２ａとカバー２ｂとで構成されており、ベース本体２内には固定部兼電源端子１を引っ掛け係止して接続し得る固定部兼電源受け部３と、出力端子ピン６を接続し得るガス漏れ用の端子ピン接続部７とを内装してある。カバー２ｂには固定部兼電源受け部３に対応するように上下に貫通する端子挿入孔４を穿孔してあると共に端子ピン接続部７に対応するようにカバー２ｂに上下に貫通する端子挿入孔８を穿孔してある。またベース本体２の側面には複数個の信号コネクター１５を埋設して装着してある。
【００１９】
天井裏にはＡＣ１００Ｖの電源を供給する電源ケーブル５、ガス漏れ信号ケーブル９、火災信号ケーブル１０、ガス漏れ信号兼用火災信号ケーブル２４を配線してあり、電源ケーブル５の端部を固定部兼電源受け部３に接続し、ガス漏れ信号ケーブル９の端部を端子ピン接続部７に接続し、火災信号ケーブル１０やガス漏れ信号兼用火災信号ケーブル２４の端部を信号コネクター１５に接続してあり、この状態で天井の下面に取り付けベースＡを当接し、取り付けベースＡからビスを打入して取り付けベースＡを天井に取り付けてある。
【００２０】
この状態で取り付けベースＡに警報器Ｂを取り付ける場合、警報器Ｂを持って固定部兼電源端子１を端子挿入孔４に挿入すると共に出力端子ピン６を端子挿入孔８に挿入し、警報器Ｂを回転して固定部兼電源端子１を固定部兼電源受け部３に引っ掛け係止すると共に出力端子ピン６を端子ピン接続部７に接触させる。そして火災信号リード線１２の信号プラグ１４は火災信号ケーブル１０と接続した信号コネクター１５に差し込んで接続し、ガス漏れ信号兼用火災信号リード線２２の信号プラグ１４はガス漏れ信号兼用火災信号ケーブル２４と接続した信号コンクター１５に差し込んで接続する。信号プラグ１４を信号コネクター１５に差し込んで接続するとき、取り付けベースＡに一体に固定された信号コネクター１５に対して差し込むために接続が片手で容易にできる。また接続が目立たず美観よく施工できる。
【００２１】
上記のように施工した警報器Ｂは電源ケーブル５から固定部兼電源受け部３や固定部兼電源端子１を介して警報器Ｂに給電される。そして所定以上の都市ガスの濃度を検知してガス漏れを検知したり、所定濃度以上の一酸化炭素ガスを検知して不完全燃焼を検知したり、所定以上の煙や熱を検知して火災を検知したりしたとき、警報器Ｂに設けたＬＥＤの点灯、点滅、スピーカーからの音声によりガスを検出したことを報知するようになっている。またガス漏れや不完全燃焼を検知したとき出力端子ピン６、端子ピン接続部７、ガス漏れ信号ケーブル９を介して集中制御装置のような制御装置に信号が送られて報知されたり制御されたりできるようになっている。このときガス漏れ検知時には１２Ｖの信号が送られ、不完全燃焼検知時には１８Ｖの信号が送られるようになっている。また火災を検知したときは火災信号リード線１２、信号プラグ１４、信号コネクター１５、火災信号ケーブル１０を介して集中制御装置のような制御装置に信号が送られて報知されると共に制御される。またガス漏れを検知したときや火災を検知したときにはガス漏れ信号兼用火災信号リード線２２、信号プラグ１４、信号コネクター１４、ガス漏れ信号兼用火災信号ケーブル２４を介してガス遮断器に信号が送られてガスの供給が遮断される。このガス漏れ信号兼用火災信号ケーブル２４を介して送られる信号は、ガス漏れ信号ケーブル９や火災信号ケーブル１０を介して送られる信号とは異なり、スイッチをオンオフしたりする信号である。ガス漏れ信号ケーブル９や火災信号ケーブル１０を介して送られる信号でスイッチをオンオフしたりしようとすると信号を変換するアダプター等を介さなければならないが、上記のようにするとアダプター等を要しない。
【００２２】
次に本発明の第２の実施の形態について図４により説明する。本例は第１の実施の形態の例と基本的に同じであり、信号プラグ１４や信号コネクター１５の構造が異なるだけである。上記例では信号プラグ１４や信号コネクター１５が単極であったが、本例の場合、信号プラグ１４や信号コネクター１５が多極である。火災信号リード線１２とガス漏れ信号兼用火災信号リード線２２とは一緒に多極の信号プラグ１４に接続してあり、取り付けベースＡのベース本体２に一体に埋設して取り付けた信号コネクター１５に火災信号ケーブル１０とガス漏れ信号兼用火災信号ケーブル２４とを一緒に接続してある。この場合も天井に取り付けた取り付けベースＡに警報器Ｂを取り付けるとき、取り付けベースＡに一体に埋設した信号コネクター１５に信号プラグ１４を差し込むことで接続できる。このとき信号プラグ１４や信号コネクター１５が多極であるために１つの信号プラグ１４を１つの信号コネクター１５に接続するだけでよくて施工性を向上できる。
【００２３】
次に本発明の第３の実施の形態について図５、図６により説明する。本例は従来例と同じ構造のベース本体２を用いて取り付けベースＡを組み立てている。電源ケーブル５やガス漏れ信号ケーブル９を接続した図６（ａ）に示すようなベース本体２のボディ２ａの側面の適所にノックアウト等で図６（ｂ）に示すように切り欠き１６を設ける。増設する信号コネクター１５には両側に係止溝１７を穿設してあり、この信号コネクター１５に火災信号ケーブル１０を接続した状態で信号コネクター１５を図６（ｃ）に示すように切り欠き１６に配置し、信号コネクター１５の係止溝１７を切り欠き１６の切り欠き縁１６ａに差し込んで信号コネクター１５を切り欠き１６に取り付ける。このように信号コネクター１５を取り付けた取り付けベースＡを天井に取り付け、取り付けベースＡに警報器Ｂを取り付けるとき、取り付けベースＡに装着した信号コネクター１５に信号プラグ１６を差し込んで取り付ける。この場合、既存のベース本体２にて取り付けベースＡを形成することができる。
【００２４】
次に本発明の第４の実施の形態について図７乃至図９により説明する。取り付けベースＡのベース本体２に側面には信号コネクター１５を設けてあり、天井裏に配線した火災信号ケーブル１０を信号コネクター１５に接続してあり、この信号コネクター１５には接続ベース１８の信号プラグ１４を接続できるようになっている。上記信号コネクター１５はベース本体２に一体に設けてあっても、従来例と同じ既存のベース本体２に切り欠き１６を設けることで増設するものであってもよい。図７、図８ではベース本体２の側面に沿うように接続ベース１８を取り付けるものであり、接続ベース１８が略三日月状に形成されており、接続ベース１８の内周側に信号プラグ１４と一体に設けてある。接続ベース１８には端子ピン接続部１９を内装してあり、端子ピン接続部１９と信号プラグ１４とを接続してある。接続ベース１８の下面には端子ピン接続部１９に対応するようにピン挿入孔２７を穿孔してあり、また接続ベース１８には取り付け孔２８を上下に貫通するように穿孔してある。この接続ベース１８は天井に取り付けたベース本体２の側面に沿わせられ、信号プラグ１４を信号コネクター１５に差し込んで接続してあり、取り付け孔２８からビス等の固着具を天井に打入して取り付けてある。
【００２５】
警報器Ｂの上面には上記のように固定部兼電源端子１やガス漏れ信号の出力端子ピン６を突設してある他に、外周の上面に火災信号用の出力端子ピン２０を突設してある。警報器Ｂは、警報器Ｂを持って固定部兼電源端子１を端子挿入孔４に挿入すると共に出力端子ピン６を端子挿入孔８に挿入し、警報器Ｂを回転して固定部兼電源端子１を固定部兼電源受け部３に引っ掛け係止すると共に出力端子ピン６を端子ピン接続部７に接触させることで接続するが、本例の場合、出力端子ピン２０も接続ベース１８のピン挿入孔２７に挿入して出力端子ピン２０を端子ピン接続部１９に接続する。この場合、信号コネクター１５に信号プラグ１４を片手で差し込んで接続ベース１８を接続でき、警報器Ｂを取り付けるとき警報器Ｂの出力端子ピン２０を接続ベース１８の端子ピン接続部１９に差し込んだりして接続でき、接続作業が容易且つ安全にできる。
【００２６】
図９の例では信号プラグ１４と接続ベース１８の端子ピン接続部１９とを信号接続線３１にて接続してあり、接続ベース１８の下面には端子ピン接続部１９に対応するようにピン挿入孔２９を穿孔してある。この場合、警報器Ｂを取り付ける前に出力端子ピン２０を接続ベース１８のピン挿入孔２９から端子ピン接続部１９に差し込んで接続し、この状態で警報器Ｂを取り付けベースＡに取り付け、しかる後、信号接続線３１の信号プラグ１４を信号コネクター１５に差し込んで接続する。
【００２７】
次に本発明の第５の実施の形態について図１０により説明する。信号コネクター１５に略三日月状の接続ベース部２１を一体に設けてあり、接続ベース部２１には端子ピン接続部１９を内装してある。接続ベース部２１の下面には端子ピン接続部１９に対応するようにピン挿入孔２７を穿孔してあり、接続ベース部２１には取り付け孔２８を上下に貫通するように穿孔してある。ベース本体２のボディ２ａの側面の適所にノックアウト等で切り欠き１６が形成され、信号コネクター１５には両側に係止溝１７を穿設してあり、この信号コネクター１５に火災信号ケーブル１０を接続した状態で信号コネクター１５を切り欠き１６に配置し、信号コネクター１５の係止溝１７を切り欠き１６の切り欠き縁１６ａに差し込んで信号コネクター１５を切り欠き１６に取り付けてある。
【００２８】
警報器Ｂの上面には上記のように固定部兼電源端子１やガス漏れ信号の出力端子ピン６を突設してある他に、外周の上面に火災信号用の出力端子ピン２０を突設してある。警報器Ｂは、警報器Ｂを持って固定部兼電源端子１を端子挿入孔４に挿入すると共に出力端子ピン６を端子挿入孔８に挿入し、警報器Ｂを回転して固定部兼電源端子１を固定部兼電源受け部３に引っ掛け係止すると共に出力端子ピン６を端子ピン接続部７に接触させることで接続するが、本例の場合、出力端子ピン２０も接続ベース部２１のピン挿入孔２７に挿入して出力端子ピン２０を端子ピン接続部１９に接続する。この場合、警報器Ｂを取り付けベースＡに取り付けるとき警報器Ｂの出力端子ピン２０を接続ベース部２１の端子ピン接続部１９に差し込んだりして接続でき、接続作業が容易且つ安全にできる。また外部に配線が露出しないために美観よく施工できる。
【００２９】
【発明の効果】
本発明の請求項１の発明は、警報器の上面の固定部兼電源端子を引っ掛け係止して接続し得る固定部兼電源受け部と、警報器の上面のガス漏れ信号用の出力端子ピンを接続し得るガス漏れ用の端子ピン接続部とを、天井に取り付けるベース本体に設け、上記ガス漏れ信号用の出力端子ピンとは別に警報器からの信号を伝達するために信号プラグを着脱自在に接続し得る信号コネクターをベース本体の側面に設けたので、天井裏に配線した付加機能の外部出力ケーブルを信号コネクターに接続して取り付けベースを天井に取り付けておけば、警報器を取り付けたとき警報器側と接続した信号線の端部の信号プラグを取り付けベースの側面に設けた信号コネクターに差し込み接続することで接続でき、接続作業が片手できて安全に施工でき、また美観が悪くならないように施工できるものである。
【００３０】
また本発明の請求項２の発明は、請求項１において、ベース本体の側面に信号コネクターを一体に埋設して取り付け、警報器から導出した信号線の端部の信号プラグを信号コネクターに着脱自在に接続し得るようにしたので、ベース本体に予め信号コネクターを設けた取り付けベースを用いて容易に施工できるものである。
【００３１】
また本発明の請求項３発明は、請求項１において、ベース本体の側面に切り欠きを設け、信号コネクターを切り欠きに挿入すると共に信号コネクターの係止溝を切り欠き縁に係止し、警報器から導出した信号線の端部の信号プラグを信号コネクターに着脱自在に接続し得るようにしたので、付加機能のない従来の取り付けベースであっても側面にノックアウト等で切り欠きを形成するだけ信号コネクターを取り付けることができ、特別な取り付けベースを用意しなくても付加機能の接続作業が安全に行えるものである。
【００３２】
また本発明の請求項４の発明は、請求項１において、信号コネクターに接続した信号プラグと繋がった接続ベースに端子ピン接続部を設け、警報器のガス漏れ信号用の出力端子ピンとは別の信号を出力する出力端子ピンを上記接続ベースの端子ピン接続部に接続し得るようにしたので、天井裏に配線した付加機能の外部出力ケーブルを信号コネクターに接続して取り付けベースを天井に取り付けておけば、信号コネクターに信号プラグを片手で差し込んで接続ベースを接続でき、警報器を取り付けるとき警報器の出力端子ピンを接続ベースの端子ピン接続部に差し込んだりして接続でき、接続作業が容易且つ安全にできるものである。
【００３３】
また本発明の請求項５の発明は、警報器の上面の固定部兼電源端子を引っ掛け係止して接続し得る固定部兼電源受け部と、警報器の上面のガス漏れ信号用の出力端子ピンを接続し得るガス漏れ用の端子ピン接続部とを、天井に取り付けるベース本体に設け、接続ベース部を一体に設けた信号コネクターをベース本体の側面に取り付け、この接続ベース部に端子ピン接続部を設け、警報器のガス漏れ信号用の出力端子ピンとは別の信号を出力する出力端子ピンを上記接続ベース部の端子ピン接続部に接続し得るようにしたので、接続ベース部を一体に設けた信号コネクターをベース本体に取り付けると共に天井裏に配線した付加機能の外部出力ケーブルを信号コネクターに接続した取り付けベースを天井に取り付けておけば、警報器を取り付けベースに取り付けるとき警報器の出力端子ピンを接続ベース部の端子ピン接続部に差し込んだりして接続でき、接続作業が容易且つ安全にできるものであり、また外部に配線が露出しないために美観よく施工できるものである。
【図面の簡単な説明】
【図１】本発明の第１の実施の形態の一部切欠分解正面図である。
【図２】同上の取り付けベースを示し、（ａ）は正面図、（ｂ）は底面図である。
【図３】同上の取り付けベースに警報器を取り付けた状態の斜視図である。
【図４】同上の第２の実施の形態を示し、（ａ）は一部切欠分解正面図、（ｂ）は取り付けベースに警報器を取り付けた状態の斜視図である。
【図５】同上の第３の実施の形態の一部切欠分解正面図である。
【図６】（ａ）（ｂ）（ｃ）は同上のベース本体に信号コネクターを取り付ける状態を説明する斜視図である。
【図７】同上の第４の実施の形態の一例を示す一部切欠分解正面図である。
【図８】同上の要部の分解斜視図である。
【図９】同上の他例の斜視図である。
【図１０】同上の第５の実施の実施の形態の要部の分解斜視図である。
【図１１】一従来例の一部切欠正面図である。
【図１２】図１１の取り付けベースの底面図である。
【図１３】他の従来例の一部切欠正面図である。
【図１４】図１３の取り付けベースを示し、（ａ）は正面図、（ｂ）は底面図である。
【図１５】図１３の取り付けベースに警報器を取り付けた状態の斜視図である。
【符号の説明】
Ａ　取り付けベース
Ｂ　警報器
１　固定部兼電源端子
２　ベース本体
３　固定部兼電源受け部
６　出力端子ピン
７　端子ピン接続部
１４　信号プラグ
１５　信号コネクター
１６　切り欠き
１７　係止溝
１８　接続ベース
１９　端子ピン接続部
２０　出力端子ピン
２１　接続ベース部
【図１】
2004021653.tif 000003
【図２】
2004021653.tif 000004
【図３】
2004021653.tif 000005
【図４】
2004021653.tif 000006
【図５】
2004021653.tif 000007
【図６】
2004021653.tif 000008
【図７】
2004021653.tif 000009
【図８】
2004021653.tif 000010
【図９】
2004021653.tif 000011
【図１０】
2004021653.tif 000012
【図１１】
2004021653.tif 000013
【図１２】
2004021653.tif 000014
【図１３】
2004021653.tif 000015
【図１４】
2004021653.tif 000016
【図１５】
2004021653.tif 000017